(57)【要約】【課題】シートを衛生的に保管・使用することができる上、製造コストの低減を図ることも可能なシート収容具を提供すること。【解決手段】複数のシート１を積層状態で収容するシート収容具であって、前記複数のシート１のうちの最下層のシート１を除く他のシート１が、最下層のシート１よりも一方に寄っており、かつ、上側にあるシート１ほど一方に寄る距離が大きくなるように積層され固定されている。【選択図】図１
0003119356.tif 000002
【実用新案登録請求の範囲】
【請求項１】
複数のシートを積層状態で収容するシート収容具であって、前記複数のシートのうちの最下層のシートを除く他のシートが、最下層のシートよりも一方に寄っており、かつ、上側にあるシートほど一方に寄る距離が大きくなるように積層されていることを特徴とするシート収容具。
【請求項２】
前記複数のシートを保持するシート台を備え、このシート台に、切り欠かれた状態または下方に凹入する状態となっているガイド部位が形成されており、このガイド部位の一部を、前記他のシートにおける最下層のシートよりも一方に寄っている部分と前記最下層のシートの縁部とが覆うように構成されている請求項１に記載のシート収容具。
【請求項３】
前記複数のシートのそれぞれに、貫通孔、スリットまたは凹入部のいずれかよりなる被係止部が形成されており、この被係止部に係止する係止部が前記シート台に設けられている請求項２に記載のシート収容具。
【請求項４】
前記複数のシートを保持するシート台を備え、前記複数のシートのそれぞれに、貫通孔、スリットまたは凹入部のいずれかよりなる被係止部が形成されており、この被係止部に係止する係止部が前記シート台に設けられている請求項１に記載のシート収容具。
【請求項５】
前記シートがスキン用シートである請求項１〜４のいずれかに記載のシート収容具。
【考案の詳細な説明】
【技術分野】
【０００１】
本考案は、例えば美容具、医療機器（医療具）または健康増進具として用いられるシートを複数収容するシート収容具に関する。
【背景技術】
【０００２】
従来より、例えばスキンケア用の液体を含浸した状態で肌の適宜の部分に貼られ、肌に前記液体を供給する使い捨てタイプのシートがある。典型的なこの種のシートとしては、その購入者等によって週に一度程度のペースで使用されることを前提とし、約１〜３か月の使用に供される分量（例えば４〜１０回分程度）が袋に収容された状態で市場に流通するものが挙げられる。
【考案の開示】
【考案が解決しようとする課題】
【０００３】
しかし、シートの収容の仕方自体に特に工夫のない上記の袋では、シートを取り出す際に、取り出して使用するシートだけではなく使用しない他のシートにも指等が触れて雑菌が付着する懸念があり、又、この点に関する衛生上の不安から、消費者が前記シートの使用・購入を避けるようになるおそれがある。また、複数のシートを前記袋に収容する前に各シートを個別包装した場合には、上述の雑菌の付着に関する懸念が解消される反面、包装のための工数・材料費が余分にかかるため、製造コストが高くなり低く抑えられなくなるという問題が生じていた。
【０００４】
この考案は上述の事柄に留意してなされたもので、その目的は、シートを衛生的に保管・使用することができる上、製造コストの低減を図ることも可能なシート収容具を提供することである。
【課題を解決するための手段】
【０００５】
上記目的を達成するために、本考案のシート収容具は、複数のシートを積層状態で収容するシート収容具であって、前記複数のシートのうちの最下層のシートを除く他のシートが、最下層のシートよりも一方に寄っており、かつ、上側にあるシートほど一方に寄る距離が大きくなるように積層されていることを特徴としている（請求項１）。
【０００６】
前記シート収容具が、前記複数のシートを保持するシート台を備え、このシート台に、切り欠かれた状態または下方に凹入する状態となっているガイド部位が形成されており、このガイド部位の一部を、前記他のシートにおける最下層のシートよりも一方に寄っている部分と前記最下層のシートの縁部とが覆うように構成されていてもよい（請求項２）。
【０００７】
また、請求項２に係るシート収容具において、前記複数のシートのそれぞれに、貫通孔、スリットまたは凹入部のいずれかよりなる被係止部が形成されており、この被係止部に係止する係止部が前記シート台に設けられていてもよい（請求項３）。
【０００８】
また、請求項１に係るシート収容具が、前記複数のシートを保持するシート台を備え、前記複数のシートのそれぞれに、貫通孔、スリットまたは凹入部のいずれかよりなる被係止部が形成されており、この被係止部に係止する係止部が前記シート台に設けられていてもよい（請求項４）。
【０００９】
また、前記シートがスキン用シートであってもよい（請求項５）。
【考案の効果】
【００１０】
請求項１〜５に係る本考案では、複数のシートのうちの最下層のシートを除く他のシートを、最下層のシートよりも一方に寄らせ、かつ、上側にあるシートほど一方に寄る距離が大きくなるように積層させるので、一番上にあるシートの端部のみを指で挟むことが容易となり、他のシートに指が触れて雑菌が付着するということも防止され、これにより、シートを衛生的に保管・使用することができる。また、シートを個別包装する必要などがなく極めてシンプルな構成で本考案を実現することができるので、製造コストの低減を図ることも可能となる。
【００１１】
そのうえ、請求項２に係る考案では、前記シート台に前記ガイド部位を設けるので、このガイド部位によって複数のシートの端部の下側に指を滑り込ませ易くなり、前記シートを指で挟んで持ち上げる作業が容易となるという効果が得られる。
【００１２】
また、請求項３、４に係る考案では、シートに設けた被係止部とシート台に設けた係止部とによって、シート台に対するシートの装着とシートの取り外しとの両方を簡単に行うことができる。
【００１３】
そして、上述した各効果は、請求項５に係る考案に記載しているように、前記シートがスキン用シートである場合に特に有効に発揮されることになる。
【考案を実施するための最良の形態】
【００１４】
図１は、本考案の一実施の形態に係るシート収容具の構成を概略的に示す斜視図である。この図に示すように、前記シート収容具は、複数（図示例では５枚）のシート１と、これらのシート１を積層状態で保持するシート台２と、このシート台２およびシート台２に保持された積層状態の複数のシート１を密封状態で収容する袋状体３とを備えている。そして、前記シート台２は、袋状体３の一部を切断することにより形成された開口４から、積層状態の複数のシート１を保持した状態で袋状体３の外部に取り出される。
【００１５】
ここで、前記シート１は、図２に示すように、有効材料を含浸した状態で肌の適宜の部分に貼られ、肌に前記有効材料を供給する使い捨てタイプのスキン用シート（図示例は目もと用シート）であり、肌への密着を可能とするための切り込み５を有している。そして、シート１は、例えば、不織布、和紙、あぶら取り紙、ゲル状（例えばゼラチン）シート等よりなる。また、前記有効材料は、肌に塗布された状態で美容効果、医療効果または健康増進効果を発揮する成分を含み、液状、ゲル状、固体（粉）状など適宜の形態をとるものである。このような有効材料としては、例えば、ビタミンＣや美容保湿剤の他、ビタミンＥ、メントール、ハッカ、インドメタシン、女性ホルモン等が挙げられる。
【００１６】
一方、シート台２は、図３に示すように、例えばポリエチレンなどの合成樹脂からなる薄板の周縁２ａを下方に折り曲げた形状をしており、上下の厚みｔが約５ｍｍ程度となっている。
【００１７】
また、図２に示すように、前記複数のシート１のそれぞれに、横長の貫通孔あるいはスリットよりなる被係止部６が二つずつ形成されており、この被係止部６に係止する係止部７が前記シート台２に二つ設けられている。前記係止部７は、図３に示すように、上下にわたって横断面形状がほぼ同一である柱部７ａと、この柱部７ａの上側に連設され柱部７ａよりも側方に突出する形状の突出部７ｂとを有している。
【００１８】
従って、シート１の被係止部６にシート台２の係止部７を係止させた状態では、被係止部６は柱部７ａに挿通されると共に、被係止部６の周縁が突出部７ｂに当接するので、シート１に対して持ち上げる方向の力がかかっても被係止部６が係止部７から容易には抜けず、これにより、シート１はシート台２に良好に保持される。また、前記柱部７ａは適宜の長さを有しており、この柱部７ａが複数のシート１の被係止部６を挿通した状態とすることで、複数のシート１をシート台２に保持させることができる。
【００１９】
また、各シート１に前記被係止部６を形成する方法について説明すると、この実施形態では、まず、被係止部６が形成されていない状態の複数のシート１を、最下層のシート１を除く他のシート１が最下層のシート１よりも一方（図３では右方）に寄っており、かつ、上側にあるシート１ほど一方による距離が大きくなるようにずれて積層した状態（以下、斜め積層状態という）とした後、図４に示すように、パンチングなどの適宜の方法により斜め積層状態の複数のシート１を上下に（最下層から最上層まで）貫通する貫通孔を形成し、これにより、各シート１に被係止部６が設けられることになる。そのため、各シート１の被係止部６の位置は互いに少しずつずれたものとなる。
【００２０】
そして、このように形成された被係止部６を有する複数のシート１を上記のようにシート台２に保持させると、保持された複数のシート１は、必然的に図１〜図３に示すように斜め積層状態で固定されることになる。
【００２１】
また、図３に示すように、前記シート台１に、切り欠かれた状態または下方に凹入する状態（この実施形態では下方に凹入する状態）となっているガイド部位８が形成されており、このガイド部位８の一部を、斜め積層状態の複数のシート１のうちの最下層のシート１を除く他のシート１において前記最下層のシート１よりも一方（図３において右方）に寄っている部分と前記最下層のシート１の縁部とが覆うように構成されている。これにより、前記係止部７に係止されシート台２に保持された斜め積層状態の複数のシート１の端部の下側に指を滑り込ませ易くなり、前記シート１を指で挟んで持ち上げる作業が容易となる。
【００２２】
さらに、シート１を指で挟んで持ち上げる作業を行う際に、シート台２に保持される複数のシート１は上述のように斜め積層状態となっているので、一番上にあるシート１の端部のみを指で挟むことが適時容易となり、他のシート１に指が触れて雑菌が付着するということも防止される。
【００２３】
なお、上記実施の形態において、前記シート１は、目もとシートに限られず、例えば、目もと以外の部分に貼られる部分シートや、フェイスマスクタイプのシートであってもよい。
【００２４】
また、前記シート１に形成される被係止部６は、貫通孔やスリットでなくてもよく、例えば、凹入部であってもよい。
【００２５】
さらに、前記シート１の被係止部６およびシート台２の係止部７は、それぞれ二つずつであることに限られず、一つずつのみでもよいし三つ以上ずつであってもよい。
【００２６】
また、前記シート台１のガイド部位８は、下方に凹入した状態となっていなくてもよく、例えば、切り欠かれた状態となっていてもよい。
【００２７】
また、前記袋状体３は、前記開口４を開閉自在とするためのいわゆるフラップ（蓋）やキャップ、縦断面ほぼ凸状のレールとこのレールが着脱自在に係止する縦断面ほぼ凹状のレールからなるシール機構等の機構を備えて、開口４を閉じることにより開封前と同様に密封状態となるように構成されていてもよい。この場合、前記袋状体３内に収容されたシート１の最初の使用時に前記袋状体３が開封された後も、袋状体３から取り出されなかった未使用のシート１は袋状体３内で殆ど劣化等することなく保管されることになる。
【００２８】
また、上記シート収容具は、予め有効材料が含浸されているシート１の収容に適したタイプのシート台２を備えているが、シート１に有効材料が含浸されていなくてもよい。この場合、前記シート台２の周縁に壁を立設し、シート台２上に有効材料を注入してこれを溜めることができるようにすれば、消費者などがシート１の使用時にシート１に適量の有効材料を含浸させることができるようになる。従って、上記のように構成された前記シート台２は、使用時に有効材料が含浸されるシート１の収容に適したタイプとなる。
【００２９】
また、前記袋状体３に代えて、例えば、開閉自在の蓋を備えた箱状体を用いてもよい。
【００３０】
図５（Ａ）および（Ｂ）は、袋状体３の変形例に係る袋状体９を備えたシート収容具の前記袋状体９が閉じた状態および開いた状態の構成を概略的に示す斜視図である。この図において、図１〜図４に示したものと同一または同等の部材等については同じ符号を付し、それらの説明については省略する。
【００３１】
図１〜図４に示す上記実施形態において、前記袋状体３に代えて、図５（Ａ）および（Ｂ）に示すように、上面に設けられた開口１０と、この開口１０を開閉自在に閉塞するシート状の蓋１１とを備えた袋状体９を用いてもよい。この場合、前記開口１０の下方に前記シート１とシート台２のガイド部位８とが位置するようにシート収容具を構成しておくことにより、蓋１１を開くだけで前記シート１の取り出しをスムーズに行うことができるという効果が得られる。
【００３２】
前記蓋１１は、その周縁部１１ａに適宜の接着力を有する接着剤（図示していない）が塗布されていると共に、一端部１１ｂが袋状体９の上面に固定されている。従って、蓋１１は一端部１１ｂをヒンジとなって開閉するのであり、袋状体９の上面における開口１０の周縁に蓋１１の周縁部１１ａを押さえつけると、前記接着剤の作用によって両者が接着され、図５（Ａ）に示すように、袋状体９は密閉状態となる。反対に、蓋１１の他端部に設けられた把手部１１ｃを引き上げると、図５（Ｂ）に示すように、蓋１１の周縁部１１ａが開口１０の周縁から剥がれて蓋１１が開いた状態となる。
【００３３】
図６は、袋状体３の他の変形例に係る袋状体１２を備えたシート収容具の構成を概略的に示す斜視図である。この図において、図１〜図５に示したものと同一または同等の部材等については同じ符号を付し、それらの説明については省略する。
【００３４】
図５には、図１〜図４に示す上記実施形態において袋状体９を用いる例を示したが、さらに、この袋状体９に代えて、図６に示す袋状体１２を用いてもよい。すなわち、この袋状体１２は、センターシール部１３を挟んで第一収容部１４および第二収容部１５を有し、第一収容部１４には前記シート１およびシート台２が収容され、第二収容部１５にはシート１に含浸させるための有効材料Ｕが収容されている。ここで、前記第一収容部１４の構成は前記袋状体９の構成と同様であり、その詳細な説明については省略する。また、第二収容部１５内に収容する有効材料Ｕとしては、上記の実施形態で述べた有効材料と同様のものを用いることができる。
【００３５】
そして、前記センターシール部１３の一部（中央部）にはイージーシール部分１６が形成されており、前記第二収容部１５を手で挟むなどして第二収容部１５内に圧力をかけると、前記イージーシール部分１６が破断して第二収容部１５内の有効材料Ｕを第一収容部１４内へと導くことができるように構成されている。なお、１７は、第二収容部１５内に圧力をかけたときにその圧力を前記イージーシール部分１６に集中させる機能と、イージーシール部分１６の破断後にその破断部分を通して有効材料Ｕを第二収容部１５から第一収容部１４へと導くガイドとしての機能を果たすガイド部である。
【００３６】
従って、上記のようにイージーシール部分１６を破断させて第二収容部１５内の有効材料Ｕを第一収容部１４内へと導くことにより、第一収容部１４内のシート１に前記有効材料Ｕを含浸させることができる。このとき、前記イージーシール部分１６が第一収容部１４の中央に近い位置に設けられているので、第一収容部１４内に導入された前記有効材料Ｕが、各シート１の全体にわたってほぼ均一に含浸されることになる。
【００３７】
その後の有効材料Ｕを含浸した状態のシート１の取り出し方等については、袋状体９と同様であるので、その説明は省略する。
【００３８】
図７は、前記シート台２の変形例に係るシート台１８を備えたシート収容具の構成を概略的に示す縦断面図である。この図において、図１〜図６に示したものと同一または同等の部材等については同じ符号を付し、それらの説明については省略する。
【００３９】
図１〜図６に示す上記実施形態において、前記シート台２に代えて、図７に示すシート台１８を用いてもよい。このシート台１８は、前記斜め積層状態の複数のシート１を、前記ガイド部位８を挟んで二組保持するように構成されたものである。このシート台１８を用いれば、前記シート台２を用いる場合に比べて、より多くのシート１を保持することができる。なお、シート台１８のシート１の保持の仕方についてはシート台２と同様であるので、その説明については省略する。
【００４０】
なお、前記シート台１８が、前記斜め積層状態の複数のシート１を、前記ガイド部位８を挟んで三組以上保持するように構成されていてもよい。
【００４１】
このようにシート台２に斜め積層状態のシート１を複数組保持させる場合、いずれか一組の斜め積層状態の複数のシート１からシート１を取り出すときに、他の組の斜め積層状態の複数のシート１に指等が触れてしまわないように、互いに適宜の間隔があくように複数組の斜め積層状態のシート１をシート台２に保持させるように構成することが望ましい。
【００４２】
図８は、前記被係止部６および係止部７の変形例に係る被係止部１９および係止部２０を備えたシート収容具の構成を概略的に示す縦断面図である。この図において、図１〜図７に示したものと同一または同等の部材等については同じ符号を付し、それらの説明については省略する。
【００４３】
図１〜図７に示す上記実施形態では、いずれもシート１に貫通孔またはスリットである被係止部６を設け、この被係止部６を挿通する係止部７をシート台２に設けているが、このような構成に代えて、図８に示すように、シート１に上方に凹入する凹入部からなる被係止部１９を設けるとともに、この被係止部１９に係止する突状の係止部２０をシート台２に設けてもよい。ここで、前記係止部２０は、被係止部１９を係止させやすいように、上側ほど横断面形状が大きくなっている。
【００４４】
この場合には、各シート１に貫通孔が形成されないので、この貫通孔からシート１に含浸された有効材料が漏れるなどのおそれがなくなり、シート１の使用面、性能面での向上を図ることができる。
【００４５】
図９は、前記シート台２の変形例の構成を概略的に示す斜視図である。この図において、図１〜図８に示したものと同一または同等の部材等については同じ符号を付し、それらの説明については省略する。
【００４６】
図１〜図６、図８に示す上記実施形態において用いられている前記シート台２を、図９に示すように構成してもよい。すなわち、前記シート台２の周縁２ａを上方に折り曲げた形状として、周縁に壁２１が立設された状態としてもよく、また、シート台２の底部において前記シート１が載置（保持）される部分を通る複数の溝２２を設けてもよい。
【００４７】
前記シート台２に前記壁２１を設けた場合には、シート台２上に有効材料を注入してこれを溜めることができ、このことを利用して消費者などがシート１の使用時にシート１に適量の有効材料を含浸させることができることになる。また、有効材料の注入時に有効材料が飛散することを前記壁２１によって確実に防止することもできる。従って、壁２１を有する前記シート台２は、使用時に有効材料が含浸されるシート１の収容に適したタイプとなる。
【００４８】
さらに、前記シート台２に溝２２を設けた場合には、シート台２上において有効材料をシート１に吸収させるに際して、シート台２の底部に溜まった有効材料が、前記溝２２によって、シート１の載置された部分に適宜に誘導されこのシート１に確実に吸収されることができ、溝２２を適宜に配置することで前記吸収をシート１全体にわたって満遍なく行わせることも可能となる。この溝２２は、シート１の使用時に有効材料をシート台２上に注入してシート１に吸収させる際に効果を発揮するだけではなく、前記袋状体３内に収容され予め有効材料を含浸したシート１から、前記有効材料が揮発等により放出されて袋状体３内に溜まった場合であっても、前記有効材料がシート１に再度吸収されるのを前記溝２２が助ける働きをし、これにより、有効材料がシート１に適宜に含浸した状態を常に保つことができるという効果も発揮する。
【００４９】
なお、前記壁２１または溝２２は、いずれか一方のみがシート台２に設けられていてもよいし、両方設けられていてもよい。
【００５０】
また、前記壁２１および／または溝２２を、図７に示す前記シート台１８に設けてもよい。
【００５１】
なお、図１〜図９に示す実施形態では、いずれもシート台２，１８を用いているが、シート台２，１８を用いない構成としてもよい。この場合、シート１を収容する袋状体３または箱状体等の収容体に、前記係止部７やガイド部位８、さらには壁２１、溝２２等に相当する部位を設ければよい。
【図面の簡単な説明】
【００５２】
【図１】本考案の一実施の形態に係るシート収容具の構成を概略的に示す斜視図である。
【図２】前記シート収容具のシートの使用方法を概略的に示す説明図である。
【図３】前記シート収容具の構成を概略的に示す縦断面図である。
【図４】前記シート収容具のシートの被係止部の形成方法を概略的に示す説明図である。
【図５】（Ａ）および（Ｂ）は、変形例に係る袋状体を備えたシート収容具の前記袋状体が閉じた状態および開いた状態の構成を概略的に示す斜視図である。
【図６】他の変形例に係る袋状体を備えたシート収容具の構成を概略的に示す斜視図である。
【図７】変形例に係るシート台を備えたシート収容具の構成を概略的に示す縦断面図である。
【図８】変形例に係る被係止部および係止部を備えたシート収容具の構成を概略的に示す縦断面図である。
【図９】前記シート台の変形例の構成を概略的に示す斜視図である。
【符号の説明】
【００５３】
１  シート
２  シート台
６  被係止部
７  係止部
８  部位
【図１】
0003119356.tif 000003
【図２】
0003119356.tif 000004
【図３】
0003119356.tif 000005
【図４】
0003119356.tif 000006
【図５】
0003119356.tif 000007
【図６】
0003119356.tif 000008
【図７】
0003119356.tif 000009
【図８】
0003119356.tif 000010
【図９】
0003119356.tif 000011